(57)【要約】【課題】  表示部での表示の向きの設定に有利な操作装置を提供すること。【解決手段】  操作部材を有し、レンズ装置における可動の光学部材の駆動を制御するための指令値を操作部材の操作量に基づいて生成する操作装置（１００）は、上記駆動に関する情報を表示する表示部（１０５）と、レンズ装置に対する操作装置の配置の特定を行う処理部（１０２、１０３、１０４）と、を有する。処理部は、上記特定により得られた上記配置に対応する向きで、表示部に表示を行わせる。【選択図】  図１
2019070681.tif 000002
【特許請求の範囲】
【請求項１】
操作部材を有し、レンズ装置における可動の光学部材の駆動を制御するための指令値を前記操作部材の操作量に基づいて生成する操作装置であって、
前記駆動に関する情報を表示する表示部と、
前記レンズ装置に対する前記操作装置の配置の特定を行う処理部と、
を有し、
前記処理部は、前記特定により得られた前記配置に対応する向きで、前記表示部に表示を行わせる、
ことを特徴とする操作装置。
【請求項２】
前記処理部は、前記操作部材の操作の方向と前記光学部材の駆動の方向との関係に基づいて、前記特定を行うことを特徴とする請求項１に記載の操作装置。
【請求項３】
前記処理部は、前記光学部材の駆動の方向の情報を前記レンズ装置から取得することを特徴とする請求項２に記載の操作装置。
【請求項４】
前記処理部は、前記操作装置が接続されている前記レンズ装置の通信コネクタの情報に基づいて、前記特定を行うことを特徴とする請求項１に記載の操作装置。
【請求項５】
前記処理部は、前記通信コネクタに対応するポートの情報と、前記ポートに接続しているデバイスの情報とを前記レンズ装置から取得し、取得した前記ポートの情報および前記デバイスの情報に基づいて、前記操作装置が接続されている前記通信コネクタの情報を得ることを特徴とする請求項４に記載の操作装置。
【請求項６】
前記処理部は、前記レンズ装置の向きを変更するための左右一対の柄部材のいずれかへの前記操作装置の配置の特定を行うことを特徴とする請求項１ないし請求項５のうちいずれか１項に記載の操作装置。
【請求項７】
前記処理部は、前記レンズ装置を支持する支持装置に設けられた前記左右一対の柄部材のいずれかへの前記操作装置の配置の特定を行うことを特徴とする請求項６に記載の操作装置。
【請求項８】
前記処理部は、前記レンズ装置に接続されたカメラ装置を支持する前記支持装置に設けられた前記左右一対の柄部材のいずれかへの前記操作装置の配置の特定を行うことを特徴とする請求項７に記載の操作装置。
【請求項９】
前記処理部は、前記特定により得られた前記配置において前記表示が倒立しないように、前記表示部に前記表示を行わせることを特徴とする請求項１ないし請求項８のうちいずれか１項に記載の操作装置。
【請求項１０】
前記処理部は、前記向きを、前記特定を行うことができない場合、予め定められた向きとすることを特徴とする請求項１ないし請求項９のうちいずれか１項に記載の操作装置。
【請求項１１】
前記処理部は、前記向きを、操作者の入力に基づいて、前記特定により得られた前記配置に対応する向きでなく、予め定められた向きとすることを特徴とする請求項１ないし請求項９のうちいずれか１項に記載の操作装置。
【請求項１２】
可動の光学部材を含むレンズ装置と、
前記光学部材の駆動を制御するための請求項１乃至１１のうちいずれか１項に記載の操作装置と、
を有することを特徴とするシステム。
【請求項１３】
請求項１２に記載のシステムと、
前記システムにおける前記レンズ装置からの光を受ける撮像素子と、
を有することを特徴とする撮像装置。
【発明の詳細な説明】
【技術分野】
【０００１】
本発明は、操作装置、システム、および撮像装置に関するものである。
【背景技術】
【０００２】
例えば、放送用レンズ装置のフォーカシングは、フォーカスデマンドと呼ばれる操作装置を用いて行う場合がある。この操作装置は、三脚の左右いずれかのパン棒に設置して使用する。そのため、図５のように、操作ノブの操作の極性（操作方向と被写体距離の変化方向との関係）が変更可能となっている。当該操作装置は、フォーカスの駆動状態や、デマンド本体の機能の設定状態、撮像装置の機能の設定状態等が確認可能な表示部が設けられ、操作装置の操作性向上が図られている。
【０００３】
特許文献１は、フォーカスデマンドからレンズ装置に送信されるフォーカス指示位置を取得し、当該フォーカス指示位置に対応する被写体距離を表示する距離表示ユニットを開示している。
【先行技術文献】
【特許文献】
【０００４】
【特許文献１】特開２００２−２８７００７号公報
【発明の概要】
【発明が解決しようとする課題】
【０００５】
表示部を有する操作装置を三脚の左右いずれかのパン棒に設置した場合、表示部での表示が逆向きになって視認性に問題が生じうる。スイッチの操作によって表示部で正立表示がなされるように表示を切替える方法は、当該スイッチを配置するためのスペースやコストを要する。
【０００６】
本発明は、表示部での表示の向きの設定に有利な操作装置を提供することを例示的目的とする。
【課題を解決するための手段】
【０００７】
本発明の一つの側面は、操作部材を有し、レンズ装置における可動の光学部材の駆動を制御するための指令値を前記操作部材の操作量に基づいて生成する操作装置であって、
前記駆動に関する情報を表示する表示部と、
前記レンズ装置に対する前記操作装置の配置の特定を行う処理部と、
を有し、
前記処理部は、前記特定により得られた前記配置に対応する向きで、前記表示部に表示を行わせる、
ことを特徴とする操作装置である。
【発明の効果】
【０００８】
本発明によれば、例えば、表示部での表示の向きの設定に有利な操作装置を提供することができる。
【図面の簡単な説明】
【０００９】
【図１】実施形態１の操作装置の構成例を示す図
【図２】表示部での表示の向きを決定する処理の流れを例示する図
【図３】実施形態２の操作装置の構成例を示す図
【図４】表示部での表示の向きを決定する処理の流れの他の例を示す図
【図５】操作の極性を例示する図
【図６】レンズ装置を含むシステム、および撮像装置の構成例を示す図
【発明を実施するための形態】
【００１０】
以下、添付図面を参照して本発明の実施形態を説明する。なお、実施形態を説明するための全図を通して、原則として（断りのない限り）、同一の部材等には同一の符号を付し、その繰り返しの説明は省略する。
【００１１】
〔実施形態１〕
図１および図２を参照して実施形態１を説明する。図１は、実施形態１の操作装置の構成例を示す図である。図１において、１００は、操作装置であり、２００は、レンズ装置である。操作装置１００は、操作部１０１、極性取得部１０２、通信部１０３、配置取得部１０４、表示部１０５を含む。操作部１０１は、操作者により操作される操作部材（例えば操作ノブ）を含む。ここで、極性取得部１０２、通信部１０３、および配置取得部１０４は、処理部を構成しうるものであり、当該処理部は、それには限定されないが、例えば、単一または複数のプロセッサ（ＣＰＵ等）で構成しうる。操作装置１００は、レンズ装置２００における可動の光学部材（後述の２００ａ）の駆動を制御するための指令値を操作者による操作部材の操作量に基づいて操作部１０１により生成する。なお、当該指令値は、当該操作量そのものであってもよく、また、当該操作量を入力とする予め定められた関数の出力として（当該操作量が変換されて）得られたものであってもよい。通信部１０３は、レンズ装置２００（の通信部）と接続され、操作部１０１により生成された指令値をレンズ装置に送信したり、可動の光学部材２００ａの駆動に関する情報（例えば光学部材２００ａの位置の情報）等をレンズ装置から受信したりしうる。表示部１０５は、当該駆動に関する情報（操作装置において生成された情報や、レンズ装置２００から受信（取得）した情報等）等を表示しうる。
【００１２】
極性取得部１０２は、操作部材の操作の極性（操作部材の操作の方向と光学部材の駆動の方向との関係）に関する情報を取得する。ここで、図５は、操作の極性を例示する図である。例えば、可動の光学部材がフォーカスレンズの場合、一方の極性（第１極性）は、当該操作方向が時計まわり（ＣＷ）方向の場合、当該駆動方向は被写体距離が無限遠に向かう方向（図５のＦＡＲ方向）となるものである。この場合、当該操作方向が反時計まわり（ＣＣＷ）方向の場合、当該駆動方向は被写体距離が至近に向かう方向（図５のＮＥＡＲ方向）となるものである。他方の極性（第２極性）は、操作方向と駆動方向との関係が上記のものとは逆となるものである。なお、当該極性の情報を得るため、当該操作方向は、操作部材が操作されている操作部１０１から得、それに対応する当該駆動方向は、レンズ装置２００から得るものとしうる。または、当該極性の情報は、操作部１０１に含まれる記憶部に予め記憶させておき、当該記憶部から得るものとしうる。
【００１３】
配置取得部１０４は、極性取得部１０２により取得された極性情報に基づいて、レンズ装置２００に対する操作装置１００の配置の取得（特定）を行う。そして、配置取得部１０４は、当該特定により得られた当該配置に対応する向きで、表示部１０５に表示を行わせる。例えば、配置取得部１０４は、当該特定により得られた当該配置において表示部１０５での表示が操作者（図６参照）から見て倒立しない（正立する）ように、表示部１０５に表示を行わせる。
【００１４】
ここで、図２は、表示部での表示の向きを決定する処理の流れを例示する図である。この処理は、操作装置１００の処理部により、当該処理部に格納されたコンピュータプログラムに従って行われうる。図２を参照して当該処理の流れの例を説明する。まず、ステップＳ２０１では、極性取得部１０２は、予め設定されている操作部１０１の極性の情報を取得する。当該極性情報の取得は、既述のように行いうる。ステップＳ２０２では、配置取得部１０４は、極性取得部１０２が取得した極性情報が「第１極性」であるか判定する。判定結果が「第１極性」の場合、ステップＳ２０３に処理が進められ、判定結果が「第１極性」でなく「第２極性」である場合、ステップＳ２０４に処理が進められる。
【００１５】
ステップＳ２０３では、配置取得部１０４は、操作装置１００の配置を「右」として取得する。ここで、「右」は、三脚の左右のパン棒のうち右のパン棒に操作装置１００が配置されていることを意味する。その後、ステップＳ２０５に処理が進められる。ステップＳ２０４では、配置取得部１０４は、操作装置１００の配置を「左」として取得する。ここで、「左」は、三脚の左右のパン棒のうち左のパン棒に操作装置１００が配置されていることを意味する。その後、ステップＳ２０６に処理が進められる。
【００１６】
ステップＳ２０５では、配置取得部１０４は、配置「右」に対応する「第１」で表示部１０５に表示を行わせるようにする。「配向」は、設定または決定された「向き」のことであり、単に「向き」ともいいうる。ここで、「第１配向」は、例えば、配置「右」における表示部１０５での表示が倒立しない（正立する）ような配向である。その後、処理を終了する。ステップＳ２０６では、配置取得部１０４は、配置「左」に対応する「第２配向」で表示部１０５に表示を行わせるようにする。ここで、「第２配向」は、例えば、配置「左」における表示部１０５での表示が倒立しない（正立する）ような配向である。その後、処理を終了する。
【００１７】
以上のような処理により、操作部１０１の操作の極性に基づいて、操作装置１００の配置の特定を行い、当該特定により得られた当該配置に対応する向きで、表示部１０５に表示を行わせることができる。当該向きは、例えば、当該配置が「右」・「左」のいずれであっても、操作者から見て表示が倒立しない（正立する）ような向きである（図６参照）。本実施形態によれば、当該向きの設定（切替え）にあたってスイッチやセンサ等を追加するためのスペースやコストを要することがなく、もって、例えば、表示部での表示の向きの設定に有利な操作装置を提供することができる。
【００１８】
なお、操作装置は、以上では、フォーカスデマンド（レンズ装置における可動の光学部材としてフォーカシングのためのレンズユニットを操作の対象とする操作装置）を例示した。しかしながら、操作装置は、それには限定されず、配置により操作の極性が変わるものであればよい。例えば、操作装置は、ズーミングのためのレンズユニットを操作の対象とするもの（ズームデマンド）や、絞りを操作の対象とするものとしうる。また、表示の向きは、操作者から見て表示が倒立しない（正立する）ような向きに限らず、操作者の視認性の点で有利なものとしうる。また、操作装置は、以上に説明した表示の向きを切替える機能の有効・無効を、例えばソフトウエアにより、選択できるように構成しうる。その場合、表示の向きは、操作者の入力に基づいて、当該特定により得られた当該配置に対応する向きでなく、予め定められた向きとすることができる。
【００１９】
〔実施形態２〕
図３ないし図４を参照して、実施形態２を説明する。図３は、実施形態２の操作装置の構成例を示す図である。実施形態１の構成例とは、ポート情報取得部１０６とデバイス情報取得部１０７とをさらに含む点が異なる。なお、極性取得部１０２は、省略しうるものである。また、実施形態２の構成例において実施形態１の構成例と共通する部分に関しては、実施形態１の構成例と同様の構成をとりうるものである。
【００２０】
ポート情報取得部１０６は、通信部１０３を介して、レンズ装置２００の通信コネクタ（単にコネクタともいう）と、当該コネクタに割当てられたポートとの対応関係を示すポート情報をレンズ装置２００から取得する。ポート情報取得部１０６は、取得したポート情報を配置取得部１０４に向けて出力（送信）する。デバイス情報取得部１０７は、通信部１０３を介して、レンズ装置２００のポートに接続しているデバイス（操作装置１００を含むデバイス）を示すデバイス情報情報をレンズ装置２００から取得する。デバイス情報取得部１０７は、取得したデバイス情報を配置取得部１０４に向けて出力（送信）する。
【００２１】
配置取得部１０４は、ポート情報取得部１０６およびデバイス情報取得部１０７から得たポート情報およびデバイス情報に基づいて、操作装置１００が接続しているレンズ装置のコネクタの情報を得る。そして、配置取得部１０４は、得られたコネクタの情報に基づいて、操作装置１００の配置を取得する。取得した操作装置１００の配置の情報は、表示部１０５に出力（送信）されて表示部１０５により表示されてもよい。配置取得部１０４は、取得した配置に対応する向きで、表示部１０５に表示を行わせるようにする。
【００２２】
ここで、図４は、表示部での表示の向きを決定する処理の流れの他の例を示す図である。この処理は、操作装置１００の処理部により、当該処理部に格納されたコンピュータプログラムに従って行われうる。図４を参照して当該処理の流れの例を説明する。まず、ステップＳ４０１では、ポート情報取得部１０６は、上述のようなポート情報をレンズ装置２００から取得可能か判断する。判断結果が「取得可能」である場合、ステップＳ４０２に処理が進められ、判断結果が「取得不可能」である場合、ステップＳ４０８に処理が進められる。ステップＳ４０２では、デバイス情報取得部１０７は、上述のようなデバイス情報をレンズ装置２００から取得可能か判断する。判断結果が「取得可能」である場合、ステップＳ４０３に処理が進められ、判断結果が「取得不可能」である場合、ステップＳ４０８に処理が進められる。
【００２３】
ステップＳ４０３では、配置取得部１０４は、レンズ装置２００から取得したデバイス情報に基づき、操作装置１００が第１ポートに接続しているか判断する。判断結果がＹｅｓである場合、ステップＳ４０４に処理が進められ、判断結果がＮｏである（操作装置１００が第２ポートに接続している）場合、ステップＳ４０５に処理が進められる。ステップＳ４０４では、配置取得部１０４は、レンズ装置２００から取得したポート情報に基づいて、「第１ポート」が「右コネクタ」であるか判断する。判断結果がＹｅｓである場合、ステップＳ４０６に処理が進められ、判断結果がＮｏである（「第１ポート」が「左コネクタ」である）場合、ステップＳ４０７に処理が進められる。ステップＳ４０５では、配置取得部１０４は、レンズ装置２００から取得したポート情報に基づいて、「第２ポート」が「右コネクタ」であるか判断する。判断結果がＹｅｓである場合、ステップＳ４０６に処理が進められ、判断結果がＮｏである（「第２ポート」が「左コネクタ」である）場合、ステップＳ４０７に処理が進められる。
【００２４】
ステップＳ４０６では、配置取得部１０４は、操作装置１００の配置を「右」と判断する。その後、ステップＳ４０８に処理が進められる。ステップＳ４０７では、配置取得部１０４は、操作装置１００の配置を「左」と判断する。その後、ステップＳ４０９に処理が進められる。ステップＳ４０８では、配置取得部１０４は、配置「右」に対応する「第１配向」で表示部１０５に表示を行わせるようにする。ここで、「第１配向」は、例えば、配置「右」における表示部１０５での表示が倒立しない（正立する）ような配向である。その後、処理を終了する。ステップＳ４０９では、配置取得部１０４は、配置「左」に対応する「第２配向」で表示部１０５に表示を行わせるようにする。ここで、「第２配向」は、例えば、配置「左」における表示部１０５での表示が倒立しない（正立する）ような配向である。その後、処理を終了する。
【００２５】
なお、例えば、「左コネクタ＝ポート１」とし、「右コネクタ＝ポート２」として設定されているレンズ装置２００の右コネクタに操作装置１００が接続しているとする。この場合、デバイス情報取得部１０７は、「ポート２」に接続しているのが操作装置１００であることを示す情報を取得する。また、ポート情報取得部１０６は、「右コネクタ＝ポート２」を示す情報を取得する。これらの情報から、操作装置１００が接続しているのは右コネクタであることが認識でき、その場合に、配置取得部１０４は、「操作装置１００の配置＝右」との情報を取得するようにしうる。
【００２６】
以上のような処理により、レンズ装置２００から取得したポート情報およびデバイス情報に基づいて、操作装置１００の配置の特定を行い、当該特定により得られた当該配置に対応する向きで、表示部１０５に表示を行わせることができる。当該向きは、例えば、当該配置が「右」・「左」のいずれであっても、操作者から見て表示が倒立しない（正立する）ような向きである（図６参照）。本実施形態によれば、当該向きの切替えにあたってスイッチやセンサ等を追加するためのスペースやコストを要することがなく、もって、例えば、表示部での表示の向きの設定に有利な操作装置を提供することができる。また、レンズ装置２００からポート情報およびデバイス情報の少なくとも一方を取得できない（操作装置の配置の特定を行うことができない）場合は、向きを予め定められた向きとすることができる。予め定められた向きは、図４の例では、操作装置配置＝「右」に対応する向きである。これにより、操作装置の動作の異常を軽減しうる。当該予め定められた向きは、選択可能としうる。また、レンズ装置のコネクタの数や配置は、操作装置の配置を決定するのに適している限りは、上述のものには限定されない。
【００２７】
〔レンズ装置を含むシステム、および撮像装置に係る実施形態〕
図６は、レンズ装置を含むシステム、および撮像装置の構成例を示す図である。当該システムは、以上に例示した操作装置１００と、レンズ装置２００とを含んで構成されている。レンズ装置２００は、操作装置１００による操作の対象となる可動の光学部材２００ａと、左コネクタ２００ｂｌ（左コネクタ２００ｂｌのある側面とは反対の側面に右コネクタ２００ｂｒ）とを含んでいる。また、当該撮像装置は、以上に例示した操作装置１００と、レンズ装置２００と、当該レンズ装置からの光（光像）を受ける撮像素子３００ａを有するカメラ装置（撮像部）３００とを含んで構成されている。また、レンズ装置２００を含む当該撮像装置は、支持装置（例えば三脚）に支持されうる。当該支持装置は、レンズ装置２００の向きを変更するための左右一対の柄部材（パン棒）を含みうる。操作装置１００は、当該左右一対の柄部材のいずれかに配置されうる。本実施形態によれば、例えば、操作装置の操作性の点で有利なシステムまたは撮像装置を提供することができる。
【００２８】
以上、本発明の好ましい実施形態について説明したが、本発明はこれらの実施形態に限定されないことはいうまでもなく、その要旨の範囲内で種々の変形及び変更が可能である。
【符号の説明】
【００２９】
１００  操作装置
１０１  操作部
１０２  （処理部を構成しうる）極性取得部
１０３  （処理部を構成しうる）通信部
１０４  （処理部を構成しうる）配置取得部
１０５  表示部
【図１】
2019070681.tif 000003
【図２】
2019070681.tif 000004
【図３】
2019070681.tif 000005
【図４】
2019070681.tif 000006
【図５】
2019070681.tif 000007
【図６】
2019070681.tif 000008